(57)【特許請求の範囲】
【請求項１】
ディスプレイ本体と、該ディスプレイ本体を内部に収容するディスプレイケースと、該ディスプレイケースに対して外方に突出するように一体的に設けられた円筒体からなり、前記ディスプレイ本体から延びるハーネスが挿通されて、該ハーネスを該ディスプレイケースの外部に導き出す円筒状回転軸と、該円筒状回転軸に外嵌されて、該円筒状回転軸を支持する円筒状支持部を一体的に有して、車両に取り付けられる取付部材とを含み、該取付部材が車両に取り付けられた状態下で、該ディスプレイケースが該円筒状回転軸回りに回動せしめられることによって、前記ディスプレイ本体が起立又は横臥せしめられるように構成した車載用ディスプレイ装置であって、
前記ディスプレイケースの前記円筒状回転軸の突出先端面よりも該円筒状回転軸の突出方向前方側において、該円筒状回転軸の少なくとも突出先端面の全面を覆って位置せしめられて、該円筒状回転軸の先端側角部に対する前記ハーネスの接触を阻止するカバー部を、前記取付部材に対して一体的に設けた構成を有し、
且つ前記円筒状回転軸の突出先端面よりも該円筒状回転軸の突出方向前方側に位置する前記円筒状支持部の内周面部分、又は該円筒状支持部の内孔に連通するように、前記取付部材に設けられた貫通孔の内周面部分に、その径方向内方に突出し且つ周方向に連続的に延出して、該円筒状回転軸の先端面の全面を覆う円環板部を有する内フランジ部が一体形成されるようにして、前記カバー部を、かかる内フランジ部にて構成したことを特徴とする車載用ディスプレイ装置。
【請求項２】
前記内フランジ部の前記円環板部の内周部に、前記円筒状回転軸の内孔内に突入する内側筒部が設けられている請求項１に記載の車載用ディスプレイ装置。
【請求項３】
前記ハーネスが、前記内側筒部の内周面に固定されている請求項２に記載の車載用ディスプレイ装置。
【請求項４】
前記内側筒部の少なくとも一部が、前記円筒状回転軸を挿通して、前記ディスプレイケース内に突入位置せしめられると共に、かかる内側筒部のディスプレイケース内の突入部位に対して、前記ハーネスが固定されている請求項３に記載の車載用ディスプレイ装置。
【請求項５】
前記ハーネスが、前記取付部材における前記円筒状支持部の近傍の外面部分と、前記ディスプレイ本体とに対して、それぞれ固定されている請求項１乃至請求項４のうちの何れか１項に記載の車載用ディスプレイ装置。
【発明の詳細な説明】
【技術分野】
【０００１】
本発明は、車載用ディスプレイ装置に係り、特に、自動車等の車両に対して、インストルメントパネル等に取り付けられて、搭載される車載用ディスプレイ装置の改良された構造に関する。
【背景技術】
【０００２】
近年、車両、特に自動車等に対しての高級化や利便性の向上等の要望が高く、そこで、そのような要望を満たすために、テレビやカーナビゲーションのモニタ等の液晶ディスプレイ装置等の所謂車載用ディスプレイ装置が、搭載されるようになってきている。
【０００３】
ところで、かかる車載用ディスプレイ装置の一種として、モニタ画面を備えたディスプレイ本体を内部に収容するディスプレイケースと、車両に取り付けられる取付部材とを備え、ディスプレイケースに対して外方に突出するように一体的に設けられた回転軸が、取付部材の支持部に支持されてなる構造を有し、取付部材が自動車のインストルメントパネル等に取り付けられた状態下で、ディスプレイケースが回転軸回りに回動せしめられることによって、ディスプレイ本体が起立又は横臥せしめられるように構成されたものが、知られている（例えば、下記特許文献１参照）。
【０００４】
このような構造を有する車載用ディスプレイ装置では、例えば、取付部材が、インストルメントパネルに設けられた凹部内に収容された状態で取り付けられることで、使用時に、ディスプレイ本体がインストルメントパネル上に起立せしめられて、モニタ画面が視認可能な状態とされる一方、使用しないときには、ディスプレイ本体が、横臥せしめられて、インストルメントパネルの凹部内に格納せしめられ得るようになっている。そうして、非使用時に、ディスプレイ本体が邪魔とならないように工夫されている。
【０００５】
ところが、かかる従来の車載用ディスプレイ装置の構造について、本発明者等が詳細に検討したところ、以下の如き問題が内在することが、明らかとなった。
【０００６】
すなわち、ディスプレイ本体が回動可能とされた従来の車載用ディスプレイ装置では、一般に、ディスプレイケースの回転軸が、ディスプレイケースに対して外方に突出するように一体的に設けられた円筒体からなる円筒状回転軸として構成されて、ディスプレイ本体から延びるリード線やそれらに取り付けられた各種の接続コネクタ等からなるハーネスが、かかる円筒状回転軸を挿通して、ディスプレイケースの外部に導き出されるようになっている。また、かかる回転軸を支持する取付部材の支持部も、円筒体からなる円筒状支持部とされている。そして、この円筒状支持部が円筒状回転軸に外嵌されることにより、円筒状回転軸が円筒状支持部に対して回転可能に支持されるようになっている。何故なら、円筒状支持部を円筒状回転軸の内部に挿入させて、円筒状回転軸を円筒状支持部にて回転可能に支持する場合、円筒状回転軸の内孔内におけるハーネスの挿通スペースが、円筒状支持部の厚さの分だけ小さくなってしまい、それによって、円筒状回転軸内へのハーネスの挿通に面倒な手間が掛かるようになってしまうからである。
【０００７】
このため、円筒状支持部が円筒状回転軸に外嵌されてなる従来の回動タイプの車載用ディスプレイ装置においては、ディスプレイ本体から延びるハーネスが、円筒状回転軸を通じてディスプレイケースの内部から外部に延び出す部分において、円筒状回転軸の突出方向の先端側角部に接触して、位置せしめられる場合が多く、それ故、ディスプレイケースが円筒状回転軸回りに回動せしめられる際に、円筒状回転軸の先端側角部とそれに接触するハーネスの接触部分との間で擦れ音等の異音が生じたり、或いはそのような擦れによって、ハーネスの接触部分が断線したりする恐れがあったのである。
【０００８】
【特許文献１】特開平８−１１６３９号公報
【発明の開示】
【発明が解決しようとする課題】
【０００９】
ここにおいて、本発明は上述せる如き事情を背景にして為されたものであって、その解決課題とするところは、車両に取り付けられる取付部材に設けられた円筒状支持部が、ディスプレイケースに設けられた円筒状回転軸に外嵌されて、ディスプレイケースと共に、その内部に収容されたディスプレイ本体が円筒回転軸回りに回動可能とされた車載用ディスプレイ装置において、ディスプレイ本体の回動時に、円筒状回転軸を挿通して外部に導き出されたハーネスの円筒状回転軸の先端側角部との接触により、異音やハーネスの断線が生ずることが効果的に防止され得るように改良された構造を提供することにある。
【課題を解決するための手段】
【００１０】
そして、本発明にあっては、かかる課題の解決のために、その要旨とするところは、ディスプレイ本体と、該ディスプレイ本体を内部に収容するディスプレイケースと、該ディスプレイケースに対して外方に突出するように一体的に設けられた円筒体からなり、前記ディスプレイ本体から延びるハーネスが挿通されて、該ハーネスを該ディスプレイケースの外部に導き出す円筒状回転軸と、該円筒状回転軸に外嵌されて、該円筒状回転軸を支持する円筒状支持部を一体的に有して、車両に取り付けられる取付部材とを含み、該取付部材が車両に取り付けられた状態下で、該ディスプレイケースが該円筒状回転軸回りに回動せしめられることによって、前記ディスプレイ本体が起立又は横臥せしめられるように構成した車載用ディスプレイ装置であって、前記ディスプレイケースの前記円筒状回転軸の突出先端面よりも該円筒状回転軸の突出方向前方側において、該円筒状回転軸の少なくとも突出先端面の全面を覆って位置せしめられて、該円筒状回転軸の先端側角部に対する前記ハーネスの接触を阻止するカバー部を、前記取付部材に対して一体的に設けたことを特徴とする車載用ディスプレイ装置にある。
【００１１】
しかも、かかる本発明に従う車載用ディスプレイ装置においては、前記円筒状回転軸の突出先端面よりも該円筒状回転軸の突出方向前方側に位置する前記円筒状支持部の内周面部分に、その径方向内方に突出し且つ周方向に連続的に延出して、該円筒状回転軸の先端面の全面を覆う円環板部を有する内フランジ部が一体形成されて、前記カバー部が、かかる内フランジ部にて構成されている。
【００１２】
なお、本発明に従う車載用ディスプレイ装置の有利な態様の一つによれば、前記内フランジ部の前記円環板部の内周部に、前記円筒状回転軸の内孔内に突入する内側筒部が設けられる。
【００１３】
さらに、本発明に従う車載用ディスプレイ装置の望ましい態様の一つによれば、前記ハーネスが、前記内側筒部の内周面に固定される。
【００１４】
更にまた、本発明に従う車載用ディスプレイ装置の好適な他の態様の一つによれば、前記内側筒部の少なくとも一部が、前記円筒状回転軸を挿通して、前記ディスプレイケース内に突入位置せしめられると共に、かかる内側筒部のディスプレイケース内の突入部位に対して、前記ハーネスが固定される。
【００１５】
また、本発明に従う車載用ディスプレイ装置の更に他の好ましい態様の一つによれば、前記ハーネスが、前記取付部材における前記円筒状支持部の近傍の外面部分と、前記ディスプレイ本体とに対して、それぞれ固定される。
【発明の効果】
【００１６】
すなわち、本発明に従う車載用ディスプレイ装置においては、ディスプレイ本体から延びるハーネスのうち、円筒状回転軸を通じてディスプレイケースの内部から外部に延び出す部分が、取付部材に一体的に設けられて、ディスプレイ本体の回動時に何等回動せしめられることのないカバー部に接触することはあっても、円筒状回転軸の先端側角部に接触せしめられることがないようにされている。
【００１７】
従って、このような本発明に従う車載用ディスプレイ装置にあっては、ディスプレイケースが円筒状回転軸回りに回動せしめられる際に、円筒状回転軸の先端側角部とハーネスとの接触によって、擦れ音等の異音が生じたり、或いはハーネスが断線したりすることが、効果的に解消され得る。そして、その結果として、良好な使用状態が、長期に亘って有利に確保され得るのである。
【発明を実施するための最良の形態】
【００１８】
以下、本発明を更に具体的に明らかにするために、本発明に従う車載用ディスプレイ装置の構成について、図面を参照しつつ、詳細に説明することとする。
【００１９】
先ず図１乃至図３には、本発明に従う構造を有する車載用ディスプレイ装置の一実施形態として、自動車のインストルメントパネルに取り付けられるディスプレイ装置が、その正面形態と右側面形態と縦断面形態とにおいて、それぞれ概略的に示されている。それらの図からも明らかなように、本実施形態のディスプレイ装置は、モニタ画面を備えた公知の構造を有するディスプレイ本体１０を内部に収容するディスプレイケース１２と、自動車のインストルメントパネル（図示せず）に取り付けられる取付部材としてのハウジング１４とを、有している。
【００２０】
より具体的には、ディスプレイケース１２は、高さの低い略四角筒形状を呈する筒部１６と、かかる筒部１６の軸方向一方側の開口部からなる窓部１８と、この窓部１８とは反対側の筒部１６の開口部を閉塞する閉塞部２０とを一体的に備えた、合成樹脂製の略矩形状の筐体にて、構成されている。また、このディスプレイケース１２における筒部１６の窓部１８側の端部の内周面には、筒部１６の軸方向と直角方向に所定高さで突出し且つ周方向に連続して延びる内フランジ形態を呈するフレーム部２２が、矩形の枠状形態をもって一体形成されている。そして、そのようなディスプレイケース１２内に、全体として矩形形状を呈するディスプレイ本体１０が、モニタ画面を窓部１８を通じて外部に露呈させるように収容位置せしめられた状態で、外周部において、フレーム部２２に固定されている。
【００２１】
また、かかるディスプレイケース１２にあっては、角筒状の筒部１６における四つの側壁部のうち、ディスプレイ本体１０を間に挟んで、ディスプレイ本体１０の幅方向（図１及び図３の左右方向で且つ図２の紙面に垂直な方向で）において互いに対向位置する、略長手矩形の二つの側壁部が、それぞれ、左側壁部２４と右側壁部２５とされている。そして、それら左及び右側壁部２４，２５の長さ方向（図１及び図３の紙面に垂直な方向で且つ図２の左右方向）の一端側部位における幅方向（図１乃至図３の上下方向）の中央部には、各側壁部２４，２５の対向方向の外方に所定高さで突出する左側円筒状回転軸２６と右側円筒状回転軸２７とが、それぞれ、一体形成されている。
【００２２】
それら左側及び右側円筒状回転軸２６，２７は、互いに同一の大きさ及び高さを有する円筒体からなり、左及び右側壁部２４，２５の各外面上に同軸的に位置せしめられている。そして、左側円筒状回転軸２６には、その基部側に、平歯車からなる従動ギヤ２８が外挿されて、固定されている。
【００２３】
また、右側円筒状回転軸２７においては、その内孔内に、ディスプレイ本体１０から延び出すハーネス３０が、挿通せしめられている。即ち、本実施形態では、窓部１８を通じて外部に露呈されたモニタ画面側とは反対側のディスプレイ本体１０の背面に、ディスプレイ本体１０への給電や各種の電気信号の入力等を行うためのハーネス３０が接続されており、このハーネス３０が、ディスプレイケース１２の右側円筒状回転軸２７の内孔を通じて、外部に導き出されるようになっている。そして、かかるハーネス３０は、右側円筒状回転軸２７の内孔内への挿通部位よりも手前の部位（ディスプレイ本体１０への接続側の部位）において、ディスプレイ本体１０の背面に位置固定に取り付けられた筒状の固定スリーブ３２内に挿通、固定されており、以て、かかるディスプレイ本体１０の背面部位に対して、変位不能に固定されている。
【００２４】
一方、ハウジング１４は、横長矩形の底壁部３４と、かかる底壁部３４の長手方向において互いに対向位置せしめられた状態で、底壁部３４に立設された第一側壁部３６及び第二側壁部３７と、底壁部３４の短手方向において互いに対向位置せしめられた状態で、底壁部３４に立設された第三側壁部３８及び第四側壁部３９とを有し、全体として、上方に向かって開口する、合成樹脂製の矩形の筐体形態を呈している。そして、このハウジング１４の第三側壁部３８には、その上辺部の略中央部位を、第一及び第二側壁部３６，３７の近傍にまで達する幅と底壁部３４の近傍にまで達する深さとをもって切り欠いてなる切欠部４０が、形成されている。
【００２５】
また、このハウジング１４にあっては、第一側壁部３６と第二側壁部３７のそれぞれの対向面とは反対側の面の上端部における長さ方向の両側端部に、ボルト孔４２を有する取付板部４４が、それぞれ突設されている。そして、各ボルト孔４２に挿通された図示しない取付ボルトが、インストルメントパネル（図示せず）に固定されることで、ハウジング１４が、インストルメントパネルに対して位置固定に取り付けられるようになっている。
【００２６】
さらに、第一側壁部３６と第二側壁部３７のそれぞれの中央部には、円形の貫通孔４６が、各々一つずつ、同軸上に位置するように穿設されている。更に、それら第一及び第二側壁部３６，３７の互いの対向面には、相互の対向方向内方に突出する第一円筒状支持部４８と第二円筒状支持部４９とが、各貫通孔４６を取り囲んで、その周方向に延びるように、それぞれ一体形成されている。
【００２７】
それら第一及び第二円筒状支持部４８，４９は、ディスプレイケース１２の左及び右側壁部２４，２５にそれぞれ一体形成された左側及び右側円筒状回転軸２６，２７の外径よりも僅かに大きな内径と、それら各回転軸２６，２７の高さよりも所定寸法小さな高さとを有する円筒体からなり、それぞれの内孔が、各貫通孔４６を通じて、ハウジング１４の外部に連通せしめられている。
【００２８】
そして、ここでは、そのようなハウジング１４内に、ディスプレイケース１２が、左及び右側壁部２４，２５の長さ方向における左側及び右側円筒状回転軸２６，２７の形成側の略半分の部分が位置するように収容されている。また、そのような状態下で、ハウジング１４の第一円筒状支持部４８と第二円筒状支持部４９とが、左側円筒状回転軸２６と右側円筒状回転軸２７とに対して、それぞれ外嵌されていることで、それら左側円筒状回転軸２６と右側円筒状回転軸２７とが、第一円筒状支持部４８と第二円筒状支持部４９とにて、回転可能に支持されている。これによって、ディスプレイケース１２が、ハウジング１４に対して、左側及び右側円筒状回転軸２６，２７回りに回転乃至は回動可能に組み付けられている。なお、ここでは、第一及び第二円筒状支持部４８，４９が、左側及び右側円筒状回転軸２６，２７に外嵌された状態において、それら各円筒状回転軸２６，２７の先端部が、ハウジング１４の第一及び第二側壁部３６，３７の各貫通孔４６を通じて、ハウジング１４の外部に突出することのないようにされている。
【００２９】
また、そのようなディスプレイケース１２のハウジング１４への組付状態下において、第一円筒状支持部４８に対して回転可能に支持された左側円筒状回転軸２６に外挿、固定される従動ギヤ２８が、ハウジング１４内の底壁部３４上に固定された、正逆回転可能なステッピングモータ５０の駆動軸に取り付けられる駆動ギヤ５２に噛合せしめられている。そして、図１及び図２に実線で示される如く、ステッピングモータ５０の駆動ギヤ５２が予め設定された基準回転位置に位置せしめられているときに、ディスプレイケース１２の左側及び右側円筒状回転軸２６，２７の形成側とは反対側の部分が、ハウジング１４の第三側壁部３８の切欠部４０を通じて外部に突出位置せしめられ、且つディスプレイ本体１０のモニタ画面が、下方に向けられた状態で、それらディスプレイケース１４とディスプレイ本体１０とが、水平方向に横臥せしめられるようになっている。
【００３０】
これによって、本実施形態のディスプレイ装置では、ステッピングモータ５０の駆動ギヤ５２が基準回転位置に位置せしめられた状態から、図示しないスイッチの操作にて、ステッピングモータ５０が回転駆動せしめられることにより、反時計回りの方向に所定角度だけ回転したときに、駆動ギヤ５２に噛合する従動ギヤ２８が時計回りの方向に９０°だけ回転せしめられ、以て、ディスプレイケース１２とディスプレイ本体１０とが、水平方向に横臥せしめられた状態から、図１及び図２に二点鎖線で示される如き鉛直方向に直立する起立状態とされるようになっている。そして、そのような起立状態から、スイッチ操作にて、ステッピングモータ５０が逆回転せしめられることにより、駆動ギヤ５２が時計回りの方向に所定角度だけ回転せしめられて、基準回転位置に再び位置せしめられたときに、従動ギヤ２８が反時計回りの方向に９０°だけ回転せしめられ、以て、ディスプレイケース１２とディスプレイ本体１０とが、再び、水平方向に横臥せしめられるようになっている。
【００３１】
かくして、かかるディスプレイ装置においては、例えば、ハウジング１４が、図示しないインストルメントパネルに対して、そこに設けられた凹部内に収容、位置せしめられように取り付けられて、自動車に搭載されることによって、非使用時には、ディスプレイケース１２とディスプレイ本体１０とが横臥状態とされて、それらが邪魔とならないように、インストルメントパネルの凹部内に格納されるようになり、その一方、使用時には、ステッピングモータ５０が回転駆動せしめられて、ディスプレイケース１２とディスプレイ本体１０とが起立状態とされて、ディスプレイ本体１０のモニタ画面が、乗員にて視認され得るようになっている。
【００３２】
また、このようなディスプレイケース１２のハウジング１４への組付状態下では、右側円筒状回転軸２７の内孔を挿通して、ディスプレイケース１２の外部に導き出されたディスプレイ本体１０のハーネス３０が、第二円筒状支持部４９の内孔と第二側壁部３７の貫通孔４６とを通じて、ハウジング１４の外部に更に導き出されている。更に、このハウジング１４外に導き出されたハーネス３０は、ハウジング１４の第二側壁部３７の外面（第一側壁部３６との対向面とは反対側の面）における貫通孔４６との近傍部位と、それよりも所定距離だけ離隔した部位とに、それぞれ一つずつ位置固定に取り付けられた固定スリーブ５４内に挿通されて、固定されることにより、かかる第二側壁部３７に対して、その外面の二箇所において、変位不能に固定されている。
【００３３】
更にまた、かかるハーネス３０にあっては、第二側壁部３７の外面における貫通孔４６との近傍部位に固定された部分と、ディスプレイケース１２内において、ディスプレイ本体１０の背面部位に固定された部分との間に位置する部分が、右側円筒状回転軸２７内への挿通部を右側円筒状回転軸２７の内周面に接触させない状態で、たるみなく、緊張せしめられている。これにより、ステッピングモータ５０の正逆方向への回転駆動に伴って、ディスプレイケース１２が左側及び右側円筒状回転軸２６，２７回りに回動せしめられた際に、ハーネス３０の右側円筒状回転軸２７内への挿通部と右側円筒状回転軸２７の内周面との間に擦れが生じないようになっている。
【００３４】
そして、本実施形態のディスプレイ装置にあっては、特に、ハウジング１４の第二側壁部３７の貫通孔４６の内周面に、円環体形状を呈するカバー部５６が、一体形成されている。このカバー部５６は、貫通孔４６の径方向内方に所定高さで突出し且つ周方向に連続して延びる内フランジ形態を有しており、貫通孔４６の内周面からの突出高さが、ディスプレイケース１２の右側円筒状回転軸２７の厚さよりも所定寸法大きくされている。換言すれば、カバー部５６は、右側円筒状回転軸２７の突出先端面よりも、その突出方向前方において、右側円筒状回転軸２７の突出先端面の全面を覆って位置せしめられた状態で、第二側壁部３７の貫通孔４６の内周面に一体形成されている。
【００３５】
かくして、ここでは、右側円筒状回転軸２７と第二円筒状支持部４９のそれぞれの内孔内を挿通せしめられたハーネス３０が、貫通孔４６の内周面に設けられた円環板状のカバー部５６の内孔を通じて、ハウジング１４の外部に導き出されるようになっている。そして、それによって、かかるハーネス３０が、右側円筒状回転軸２７の外側及び内側先端角部に対して、何等接触することのないように構成されている。
【００３６】
従って、このような本実施形態のディスプレイ装置にあっては、ディスプレイケース１２が左側及び右側円筒状回転軸２６，２７回りに回動せしめられる際に、右側円筒状回転軸２７の外側及び内側先端角部とハーネス３０との接触によって、擦れ音等の異音が生じたり、或いはハーネス３０が断線乃至は損傷したりすることが、効果的に解消され得る。そして、その結果、良好な使用状態が、長期に亘って有利に確保され得るのである。
【００３７】
また、ハーネス３０と右側円筒状回転軸２７の外側及び内側先端角部との接触を阻止するカバー部５６が、貫通孔４６の内周面に円環板状の内フランジ形態をもって一体形成されているところから、例えば、ハウジング１４とは別個の円環板部材を用いて、これをハウジング１４の外面の貫通孔４６の開口周縁部に固定する等して、カバー部５６を設ける場合とは異なって、カバー部５６の形成が容易となるといった利点が得られる。
【００３８】
さらに、本実施形態では、ハーネス３０が、ディスプレイ本体１０の背面部位と、ハウジング１４の第二側壁部３７における貫通孔４６の近傍部位とに、それぞれ固定されている。これによって、ディスプレイケース１２の左側及び右側円筒状回転軸２６，２７回りの回動時に、ハーネス３０の右側円筒状回転軸２７内への挿通部の動きが十分に制限されて、かかるハーネス３０の右側円筒状回転軸２７内への挿通部と右側円筒状回転軸２７の内周面との間に擦れが生ずることが、有利に防止され得る。その結果、擦れ音等の異音が生じたり、或いはハーネス３０が断線乃至は損傷したりすることが、より効果的に解消され得る。
【００３９】
加えて、本実施形態にあっては、ハーネス３０が、ディスプレイ本体１０とハウジング１４の第二側壁部３７へのそれぞれの固定部位の間に位置する部分において、右側円筒状回転軸２７内への挿通部を右側円筒状回転軸２７の内周面に接触させない状態で、たるみなく、緊張せしめられている。これによっても、ディスプレイケース１２の回動時におけるハーネス３０の右側円筒状回転軸２７内への挿通部の動きが更に規制されて、かかるハーネス３０の右側円筒状回転軸２７内への挿通部と右側円筒状回転軸２７の内周面との間に擦れが生ずることが有利に回避され得る。以て、そのような擦れに起因した異音の発生やハーネス３０の損傷乃至は断線の発生が、より一層効果的に防止され得る。
【００４０】
以上、本発明の具体的な構成について詳述してきたが、これはあくまでも例示に過ぎないものであって、本発明は、上記の記載によって、何等の制約をも受けるものではない。
【００４１】
例えば、前記実施形態では、ハーネス３０が、ディスプレイケース１２の右側円筒状回転軸２７の内孔を通じて、ディスプレイケース１２の外部、更にはハウジング１４の外部に導き出されるようになっていたが、そのようなハーネス３０の導出部分が、ディスプレイケース１２の左側円筒状支持部２６にて構成されていても、何等差し支えない。
【００４２】
また、カバー部５６は、ディスプレイケース１２の円筒状回転軸２７（前記実施形態では、右側円筒状回転軸２７）の突出先端面よりも、その突出方向前方側において、円筒状回転軸２７の少なくとも突出先端面の全面を覆って位置せしめられて、円筒状回転軸２７の先端側角部に対するハーネス３０の接触を阻止し得るものであれば、その具体的な構造や形状等が、何等限定されるものではない。
【００４３】
従って、例えば、図４に示されるように、カバー部５６を、貫通孔４６の内周面に、その径方向内方に所定高さ突出し且つ周方向に連続して延びる内フランジ形態をもって一体形成された円環板部５８と、この円環板部５８の内周部に、円筒状回転軸２７の内孔内に突入する内側筒部６０とにて構成することも出来る。このような構造によれば、カバー部５６の円環板部５８と内側筒部６０とにて、円筒状回転軸２７の外側及び内側先端角部が、完全に覆われるようになる。それによって、円筒状回転軸２７の外側及び内側先端角部に対するハーネス３０の接触が、更に有利に防止され、以て、前記せる如き優れた作用・効果が、より有効に享受され得ることとなる。なお、かかる図４に示された実施形態、及び後述する図５に示された実施形態に関しては、前記第一の実施形態と同様な構造された部材及び部位について、図４及び図５に、図１乃至図３と同一の符号を付すことにより、詳細な説明を省略した。
【００４４】
また、図５に示される如く、カバー部５６の内側筒部６０の内周面に、固定スリーブ６２等を位置固定に取り付けて、この固定スリーブ６２内にハーネス３０を挿通、固定することにより、ハーネス３０を内側筒部６０の内周面に変位不能に固定しても良い。これによって、円筒状回転軸２７の内孔内でのハーネス３０の動きが規制され、その結果、円筒状回転軸２７の内周面や外側及び内側先端角部に対するハーネス３０の接触が、更に有利に防止され得る。なお、このようなカバー部５６の内側筒部６０の内周面へのハーネス３０の固定構造、更には、前述せる如きディスプレイ本体１０やハウジング１４に対するハーネス３０の固定構造は、例示された固定スリーブ３２，５４，６２を用いた構造に、特に限定されるものでないことは、言うまでもないところである。
【００４５】
さらに、ハーネス３０をカバー部５６の内側筒部６０の内周面に固定する場合には、図５に示されるように、内側筒部６０の一部或いは全部を、円筒状回転軸２７に挿通させて、ディスプレイケース１２内に突入させた上で、その突入部位の内周面に、ハーネス３０を固定するようにしても良い。このような構造を採用する場合には、円筒状回転軸２７の内孔内でのハーネス３０の動きが更に確実に制限され得て、円筒状回転軸２７の内周面や外側及び内側先端角部に対するハーネス３０の接触が、より一層有利に防止され得る。
【００４６】
また、ディスプレイケース１２を各円筒状回転軸２６回りに回動乃至は回転させる構造は、例示の構造に決して限定されるものではなく、公知の構造が適宜に採用され得る。
【００４７】
さらに、カバー部５６を、取付部材たるハウジング１４とは別個の独立した部材にて構成し、それをハウジング１４に接着する等して、取り付けるようにしても、何等差し支えない。
【００４８】
更にまた、カバー部５６は、ディスプレイケース１２の円筒状回転軸２７の突出先端面よりも、それの突出方向前方側において、円筒状回転軸２７の少なくとも突出先端面の全面を覆って位置せしめられるものであれば、その形成位置が、特に限定されるものではない。
【００４９】
加えて、前記実施形態では、本発明を、自動車のインストルメントパネルに取り付けられるディスプレイ装置に適用したものの具体例を示したが、本発明は、その他、自動車のインストルメントパネル以外の部分、或いは自動車以外の車両に取り付けられる車載用ディスプレイ装置の何れに対しても、それぞれ有利に適用されるものであることは、勿論である。
【００５０】
以上、本発明の具体的な構成について詳述してきたが、これはあくまでも例示に過ぎないのであって、本発明は、各種の形態において実施され得るものである。従って、当業者の知識に基づいて採用される本発明についての種々なる変更、修正、改良に係る各種の実施の形態が、何れも、本発明の趣旨を逸脱しない限りにおいて、本発明の範疇に属するものであることが、理解されるべきである。
【図面の簡単な説明】
【００５１】
【図１】本発明に従う構造を有する車載用ディスプレイ装置の一実施形態を示す正面説明図である。
【図２】図１に示された車載用ディスプレイ装置の右側面説明図である。
【図３】図２におけるIII−III断面説明図である。
【図４】本発明に従う構造を有する車載用ディスプレイ装置の別の実施形態を示す図３に対応する図である。
【図５】本発明に従う構造を有する車載用ディスプレイ装置の更に別の実施形態を示す図３に対応する図である。
【符号の説明】
【００５２】
１０  ディスプレイ本体                １２  ディスプレイケース
１４  ハウジング                      ２６  左側円筒状回転軸
２７  右側円筒状回転軸                ３０  ハーネス
４８  第一円筒状支持部                ４９  第二円筒状支持部
５６  カバー部                        ５８  円環板部
６０  内側筒部
【図１】
0005132263.tif 000002
【図２】
0005132263.tif 000003
【図３】
0005132263.tif 000004
【図４】
0005132263.tif 000005
【図５】
0005132263.tif 000006